(57)【要約】【課題】扉のいずれの側からも操作することができる非接触スイッチを有する扉スイッチと、この扉スイッチを備えた扉を提供する。【解決手段】扉１に設けられた扉スイッチ２は、非接触スイッチ６と、該非接触スイッチ６を両側から挟むように配置された１対の透光性板状体７と、各透光性板状体７の上端面に対面配置されたＬＥＤ８と、下端面に対面配置されたＬＥＤ９とを有する。透光性板状体７は、端面から入射されたＬＥＤ８又は９からの光を光散乱手段によって該透光性板状体７の板面から出射させるように構成されている。【選択図】  図１
2004204628.tif 000002
【特許請求の範囲】
【請求項１】
扉の両側から操作される非接触スイッチを備えてなる扉スイッチ。
【請求項２】
請求項１において、発光部材を有することを特徴とする扉スイッチ。
【請求項３】
請求項２において、扉の一側面に臨む発光部材と扉の他側面に臨む発光部材との間に前記非接触スイッチが配置されていることを特徴とする扉スイッチ。
【請求項４】
請求項３において、該発光部材は、端面から導入された光を板面に向って散乱させる光散乱性の板状体と、該板状体の端面に設けられた光源とを有することを特徴とする扉スイッチ。
【請求項５】
請求項３において、該発光部材は、透光性の板状体と、該板状体の端面に設けられた光源と、該板状体の板面に設けられた蛍光材料とを有することを特徴とする扉スイッチ。
【請求項６】
請求項４又は５において、該光源はＬＥＤであることを特徴とする扉スイッチ。
【請求項７】
請求項１ないし６のいずれか１項において、該非接触スイッチは静電容量センサ又はドップラセンサであることを特徴とする扉スイッチ。
【請求項８】
請求項３において、該発光部材は、１対の電極間に蛍光層を配置してなるＥＬ発光層を有し、この１対の電極が前記非接触スイッチの静電容量センサを兼用していることを特徴とする扉スイッチ。
【請求項９】
請求項１ないし８のいずれか１項において、扉の一方の側から他方の側を視認できるように透光性を有していることを特徴とする扉スイッチ。
【請求項１０】
請求項１ないし９のいずれか１項に記載の扉スイッチを有することを特徴とする扉。
【発明の詳細な説明】
【０００１】
【発明の属する技術分野】
本発明は、扉の両側からスイッチ操作することができる扉スイッチと、この扉スイッチを備えた扉とに関するものである。
【０００２】
【従来の技術】
ドアに室内照明や室内空調用のスイッチを設けることが実開平６−５６４７１号に記載されている。同号の明細書第５頁の第０００９段落には、ドアの両面に連動操作可能な１対のスイッチパネルを設けること；スイッチパネルはタッチ式等の電子式のものであってもよいこと；が記載されている。特開平９−２５１８２０号には、タッチ検出用の電極とＥＬ駆動用の電極を共用し、該電極によって発光制御されるＥＬ発光層を備えたＥＬ照光式タッチスイッチが記載されている。
【０００３】
【特許文献１】
実開平６−５６４７１号公報
【特許文献２】
特開平９−２５１８２０号公報
【０００４】
【発明が解決しようとする課題】
上記実開平６−５６４７１号及び特開平９−２５１８２０号のスイッチは、いずれも扉の両側から操作されうるようには構成されていない。なお、実開平６−５６４７１号では、扉の両側にそれぞれスイッチを取り付ける必要がある。
【０００５】
本発明は、扉のいずれの側からも操作される扉スイッチと、この扉スイッチを備えた扉とを提供することを目的とする。
【０００６】
【課題を解決するための手段】
本発明の扉スイッチは、扉の両側から操作される非接触スイッチを備えてなるものである。
【０００７】
また、本発明の扉は、この扉スイッチを備えたものである。
【０００８】
かかる本発明の扉スイッチ及び扉にあっては、扉のいずれの側から扉スイッチに手などを近づけるだけで室内の照明や空調機等をスイッチ操作することができる。
【０００９】
この扉スイッチに発光部材を設けることにより、照明や空調機等の動作状態を表示することができる。また、スイッチの存在が一目で分り、便利である。特に、発光部材を扉の両側に対面するように設けることが好ましい。
【００１０】
この発光部材は、ＥＬ発光層を有するものであってもよく、透光性の板状体の端面から該板状体内に光源からの光を導入し、散乱もしくは蛍光作用により板状体の板面から光を出すように構成したものであってもよい。この光源としてはＬＥＤが好適である。
【００１１】
本発明では、非接触スイッチとしては静電容量センサ、ドップラセンサなどが好適である。ＥＬ発光層の駆動用電極と静電容量センサの電極とを兼用してもよい。
【００１２】
本発明では、扉スイッチは扉の一方から他方を透視できるように透光性を有していてもよい。
【００１３】
【発明の実施の形態】
以下、図面を参照して実施の形態について説明する。図１（ａ）は実施の形態に係る扉の斜視図、図１（ｂ）は図１（ａ）のＢ−Ｂ線に沿う扉スイッチ部分の断面図、図２（ａ）、（ｂ）はそれぞれ別の実施の形態に係る扉の扉スイッチ部分の断面図、図３（ａ）は異なる実施の形態に係る扉の扉スイッチ部分の断面図、図３（ｂ）は図３（ａ）の扉スイッチの拡大断面図である。
【００１４】
図１（ａ）の通り、扉１に扉スイッチ２が設けられている。なお、扉１はノブ３を備えると共に、ヒンジ４を回動中心として回動可能である。
【００１５】
この実施の形態では、扉１に厚さ方向に貫通する開口５が設けられ、この開口５内に扉スイッチ２が設置されている。
【００１６】
この扉スイッチ２は、非接触スイッチ６と、該非接触スイッチ６を両側から挟むように配置された１対の透光性板状体７と、各透光性板状体７の上端面に対面配置されたＬＥＤ８と、下端面に対面配置されたＬＥＤ９とを有する。
【００１７】
図示は省略するが、非接触スイッチ６は、回路基板と、該回路基板上に搭載された、静電容量センサ、該静電容量センサからの信号変化に基づいてスイッチング信号を出力する信号処理回路、ＬＥＤ８，９の駆動回路及び電源回路等を備えている。なお、これらの回路は、ワイヤハーネス（図示略）を介して商用電源から給電されてもよく、扉１や非接触スイッチ６の基板に設置された乾電池から給電されてもよい。また、扉１等に太陽電池を設置し、この太陽電池から給電されるよう構成してもよい。
【００１８】
透光性板状体７は、端面から入射されたＬＥＤ８又は９からの光を光散乱手段によって該透光性板状体７の板面から出射させるように構成されている。この光散乱手段としては、例えば、透光性板状体７の裏面を粗面加工（例えばブラスト加工）や凹凸付け加工し、光を該裏面で散乱させるよう構成したものが例示される。また、透光性板状体７として、光散乱粒子を分散含有するものとしてもよい。さらに、透光性板状体７を構成するガラス等とは屈折率の異なるシートを透光性板状体７の裏面に配置してもよい。
【００１９】
なお、この実施の形態では、ＬＥＤ８は黄色又は赤色ＬＥＤであり、ＬＥＤ９は青色又は緑色ＬＥＤである。
【００２０】
このように構成された扉スイッチ２を有した扉１にあっては、扉スイッチ２に指や掌などを近づけてない状態にあっては、ＬＥＤ９が発光しており、透光性板状体７は青又は緑の光を放っている。扉スイッチ２に指等を近づけると、静電容量センサの静電容量が変化し、指等の接近が検出される。これにより、スイッチング信号が出力され、部屋内の照明や空調機がＯＮになると共に、ＬＥＤ８が点灯し、ＬＥＤ９が消灯し、透光性板状体７は黄色ないし赤色の光を放ち、部屋内の照明や空調機がＯＮになっていることを表示する。
【００２１】
指等を再度扉スイッチ２に近づけると、第２回目のスイッチング信号が出力され、部屋内の照明や空調機等がＯＦＦになると共に、扉スイッチ２の発光色が青又は緑に変化する。以下、同様に、奇数回目の指等の接近により照明や空調機等がＯＮになると共に黄色又は赤色が発光され、偶数回目の指等の接近により照明や空調機等がＯＦＦになると共に青色又は緑色が発光される。
【００２２】
この実施の形態では、非接触スイッチ６は扉１の厚み方向の略中央付近に配置されており、扉１の部屋側及び部屋と反対側のいずれから扉スイッチ２に指等を近づけてもスイッチングする。非接触スイッチ６の感度を高くすれば、非接触スイッチ６を扉１の一方の表面側に配置した場合でも、扉１の両側からスイッチングさせることができる。また、非接触スイッチ６及び透光性板状体７を、それらを通して扉１の反対側を視認できる程度の透明性を有したものとすれば、開口５を通して扉１の反対側を見ることができる。また、部屋の外から、部屋内の照明の点灯状況を目視確認することもできる。
【００２３】
上記実施の形態では、ＬＥＤ８又は９からの光を散乱させて透光性板状体７の板面から出射させているが、図２（ａ）のように、透光性板状体７Ａの裏面に蛍光層１０を設け、透光性板状体７Ａの端面に紫色ＬＥＤ８ａを配置し、該紫色ＬＥＤ８ａからの光によって蛍光層１０を発光させるようにしてもよい。図２（ａ）のその他の構成は図１（ｂ）と同一であり、同一符号は同一部分を示している。
【００２４】
上記実施の形態では各透光性板状体７又は７Ａの端面にそれぞれＬＥＤを配置しているが、図２（ｂ）のように扉１の両側の扉７Ｂ、７Ｂを共通のＬＥＤによって発光動作させるようにしてもよい。
【００２５】
図２（ｂ）では、透光性板状体７Ｂの端縁を斜め４５°にカットし、斜面に反射層（例えばアルミ、銀など）１１を設けている。１対の透光性板状体７Ｂ、７Ｂの縁部同士の間にＬＥＤ８，９が介在されている。
【００２６】
ＬＥＤ８又は９が点灯すると、該ＬＥＤ８又は９からの光が各透光性板状体７Ｂ内に入射され、次いで反射層１１で反射されて透光性板状体７Ｂ内に拡がり、次いで散乱手段によって散乱されて透光性板状体７Ｂの前面から出射される。散乱手段としては、前記透光性板状体７に設けられるものと同様のものが採用される。この図２（ｂ）によると、ＬＥＤの数が少なくて済むので、その分だけコストを低減できる。
【００２７】
図２（ｂ）ではＬＥＤ８，９を採用しているが、透光性板状体７Ｂの裏面に蛍光層を設け、ＬＥＤ８，９の代りに紫色ＬＥＤを配置してもよい。
【００２８】
本発明では、図３のように、検出用電極とＥＬ（エレクトロルミネッセンス）駆動用電極とを共用した照光式スイッチ２０を採用してもよい。
【００２９】
図３（ｂ）に示すように、このＥＬ照光式スイッチ２０は、絶縁基板２１の上に、ＥＬ発光層２６を形成し、その上に透明絶縁被膜２７を形成したものである。ＥＬ発光層２６は、透明電極２５と背面電極２２との間に、透明電極２５側から順に蛍光層２４と絶縁層２３を積層した構造になっており、両電極２２，２５間に交流電界を印加することによって、蛍光層２４を発光させ、この光を透明電極２５、透明絶縁被膜２７を通じて放つ。
【００３０】
透明絶縁被膜２７は、透明電極２５の損傷や汚れを防ぐために樹脂コートからなり、透明電極２５はインジウムオキサイドや酸化錫で製され、蛍光層２４は、高い誘電率を有するバインダー内に交流電界を印加することで発光する蛍光体微粒子を分散させて製される。
【００３１】
なお、背面電極２２及び透明電極２５は、互いに直交方向に延在する直線状電極であり、両電極２２，２５内には静電容量が存在する。スイッチ２０に指を近づけると、この静電容量が変化し、スイッチ２０はスイッチング信号を発生し、部屋の照明や空調機の動作が切り換えられる。なお、この照光式スイッチ２０の両側には、図３（ａ）のように保護ガラス板１２が配置されているが、この保護ガラス板１２は省略されてもよい。
【００３２】
上記実施の形態は本発明の一例であり、本発明は図示以外の形態をもとりうる。例えば、上記実施の形態では静電容量センサを用いているが、マイクロ波等の電波によるドップラセンサを採用してもよい。
【００３３】
本発明では、スイッチング信号はリード線を介して出力してもよく、赤外線や電波によって出力してもよい。
【００３４】
【発明の効果】
以上の通り、本発明によると、扉のいずれの側からも操作することができる非接触スイッチを有する扉スイッチと、この扉スイッチを備えた扉とが提供される。
【図面の簡単な説明】
【図１】（ａ）図は実施の形態に係る扉の斜視図であり、（ｂ）図は（ａ）図のＢ−Ｂ線に沿う扉スイッチ部分の断面図である。
【図２】（ａ）、（ｂ）図はそれぞれ別の実施の形態に係る扉の扉スイッチの部分の断面図である。
【図３】（ａ）図は異なる実施の形態に係る扉の扉スイッチ部分の断面図、（ｂ）図は（ａ）図の扉スイッチの拡大断面図である。
【符号の説明】
１  扉
２  扉スイッチ
５  開口
６  非接触スイッチ
７  扉
８，８ａ，９  ＬＥＤ
１０  蛍光層
１１  反射層
２０  照光式スイッチ
【図１】
2004204628.tif 000003
【図２】
2004204628.tif 000004
【図３】
2004204628.tif 000005